(57)【要約】【課題】給紙圧の変動を小さくして安定した給紙を行うとともに給紙ローラーが常時圧着することで生じるペーパー表面の品質の劣化を防ぐ給紙装置を提供する。【解決手段】記録用ペーパー６の積載枚数の変化によるリフト板３のリフト板回転支軸４回りの、記録用ペーパー６の自重Ｗの回転モーメントの変動に釣り合い、ピックレバー７をリフト板３から離間させる方向に復元力を設定したばね９をピックレバー回転支軸８に軸止することで、給紙圧の変動を小さくするとともに、非給紙時にピックレバー７をリフト板３から離間する。【選択図】図１
2007320716.tif 000002
【特許請求の範囲】
【請求項１】
記録用ペーパーを傾斜させた状態で積層保持可能なリフト板、積層保持された最上部の前記記録用ペーパーの表面に接離可能な給紙ローラー、前記リフト板の下部に配設され前記リフト板に一端を当接して他端を中心に回動することで積層保持された最上部の前記記録用ペーパーの表面を前記給紙ローラーに対して接離可能とするピックレバー、前記ピックレバーの他端を回動自在に支承するピックレバー回転支軸、前記ピックレバーを前記リフト板から離間させる方向に付勢力を常時発生するばねを備え、給紙時に前記給紙ローラーをトルクリミッターを介して回転駆動するととともに前記ピックレバーを前記リフト板への当接方向へ駆動し、かつ、非給紙時に前記ばねの付勢力で前記ピックレバーを前記リフト板から離間することを特徴とする給紙装置。
【請求項２】
前記給紙ローラーの前記記録用ペーパー最上部上面に対する圧接力の変動幅を給紙時の前記記録用ペーパーの積層保持状態にかかわらず小さくするように前記ばねの復元力を設定することを特徴とする請求項１に記載の給紙装置。
【請求項３】
前記記録用ペーパーを積層保持する前記リフト板を底部に配設したペーパーカセットを備え、前記ペーパーカセットが給紙装置本体へ装着され前記リフト板に積層保持された前記記録用ペーパーを前記給紙ローラーに対向させた状態で、前記ピックレバーを昇降させ、前記リフト板に積層保持された前記記録用ペーパーを接離可能とすることを特徴とする請求項１または請求項２に記載の給紙装置。
【請求項４】
前記給紙ローラーの駆動と前記ピックレバーの駆動とを共通の駆動源により実行することを特徴とする請求項１から請求項３までのいずれかに記載の給紙装置。
【請求項５】
記録用ペーパーを積層保持するペーパーカセット、前記ペーパーカセットの底部に配設され、前記記録用ペーパーを搭載し、前記記録用ペーパーを前記ペーパーカセットの底部に対して傾斜させた状態で積層保持可能なリフト板、積層保持された最上部の前記記録用ペーパーの表面に接離可能な給紙ローラー、前記リフト板の下部に配設され、前記リフト板に一端を当接して他端を中心に回動することで積層保持された最上部の前記ペーパーの表面を前記給紙ローラーに対して接離可能とするピックレバー、前記リフト板の下に回動自在に支持され、前記ピックレバーの他端が軸止されたピックレバー回転支軸、前記ピックレバーを前記リフト板から離間させる方向に力を常時発生するばね、前記給紙ローラーと前記ピックレバーを駆動する駆動源、前記駆動源の回転力を前記給紙ローラーへ伝達する第一の伝達ギア列、前記給紙ローラーの同軸上に軸止された給紙ローラー駆動ギア、前記第一の伝達ギア列の最終段ギアに常時かみ合うよう回転自在に支持され、前記最終段ギアの回転方向に揺動することで、前記ローラー駆動ギアに対して接離可能な揺動アイドルギア列、前記給紙ローラーの同軸上に軸止されたトルクリミッター、前記給紙ローラーの同軸上に回転自在に支持され、前記トルクリミッターに係合する従動ギア、前記従動ギアの回転力を前記ピックレバー回転支軸へ伝達する第二の伝達ギア列、前記ピックレバー回転支軸に軸止され、前記第二の伝達ギア列を介して前記従動ギアの回転力を前記ピックレバー回転支軸へ伝達するレバー駆動ギアを有する給紙装置において、前記駆動源の正転時には、前記揺動アイドルギア列が前記ローラー駆動ギアにかみ合い、前記給紙ローラーが回転し、前記ピックレバーが回動して前記リフト板に当接し、積層保持された最上部の前記記録用ペーパーの表面が前記給紙ローラーに圧接された時点で前記トルクリミッターが空転し、積層保持された前記記録用ペーパー最上部上面に圧接される給紙ローラーの圧接力が安定し、かつ、前記駆動源の逆転時には、前記揺動アイドルギア列が前記給紙ローラー駆動ギアから離間し、前記給紙ローラーには回転力も制動力も作用しないフリーな状態となり、前記ばねの復元力で前記ピックレバーが前記リフト板から離間することを特徴とする給紙装置。
【発明の詳細な説明】
【技術分野】
【０００１】
この発明は、給紙装置、特に、プリンタ、複写機などの画像形成装置の画像形成部へペーパーを搬送する給紙装置に関する。
【背景技術】
【０００２】
従来技術の一例における給紙装置の構成は、この発明による実施の形態における給紙装置の構成を示す図１において、ピックレバー７がリフト板３に当接する部位とカセット２の底面との間に、ピックレバー７に代えて、紙上げスプリングを垂直状態で設けたものである。
図１において、画像を記録する記録用ペーパー６を積層保持するペーパーカセット２、前記ペーパーカセット２の底部に配設され、前記ペーパーカセットを搭載し、前記記録用ペーパー６を前記ペーパーカセット２の底部に対して傾斜させた状態で保持可能なリフト板３、前記リフト板３を前記ペーパーカセット２の底部に対して傾斜する方向に回動自在に支持するリフト板回転支軸４、積層保持された前記記録用ペーパー６の最上部の表面に接離可能な給紙ローラー１が設けられている。紙上げスプリングは、ピックレバー７がリフト板３に当接する部位とカセット２の底面との間に垂直状態で配設されている。
従来技術では、前記紙上げスプリングは、搭載した前記リフト板３の底部を押上げて、前記ペーパーカセット２の底部に対して前記リフト板回転支軸４を中心に傾斜させ、積載された前記記録用ペーパー６の最上部の表面を前記給紙ローラー１に当接させ加圧する作用を行う。
【０００３】
前記のように構成された給紙装置において、前記記録用ペーパー６を画像形成部に給紙する過程で、前記リフト板３は前記紙上げスプリングの力を受けて、前記リフト板回転支軸４を中心に前記ペーパーカセット２の底部に対して傾斜する方向に回動する。前記リフト板３の前記ペーパーカセット２の底部に対する傾斜角度θは、前記記録用ペーパー６の積載枚数によって変化する。前記リフト板回転支軸４から前記記録用ペーパー６の積載枚数に対応する自重Ｗの重心の位置までの距離Ｌ２の変化は、前記傾斜角度θの三角関数であるのに対して、前記紙上げスプリングが前記リフト板３を前記ペーパーカセット底部に対して垂直方向に押上げる力Ｔ（図１のＮに相当）は、前記記録用ペーパー６の積載枚数に略正比例する。
【０００４】
このため、前記リフト板３の前記リフト板回転支軸４回りの、前記紙上げスプリングによる前記リフト板３の押上げ力Ｔの回転モーメントＴＬ３と、前記記録用ペーパー６の自重Ｗによる回転モーメントＷＬ２のモーメントの釣合いに変動が生じる。結果として前記記録用ペーパー６の最上部上面が前記給紙ローラー１に当接し、加圧されて生じる給紙圧も変動することになる。この変動により、給紙圧が小さくなると前記記録用ペーパー６の画像形成部への不送りや、給紙圧が大きくなると重送が生じる。
【０００５】
また、紙上げスプリングの押上げ力により、リフト板３を回動させ、リフト板３に積載されている記録用ペーパー６を給紙ローラー１に圧接させる給紙装置において、ペーパーカセット２を給紙装置本体に装着している状態を長時間続けると、記録用ペーパー６が給紙ローラー１に対して常に圧着されて状態となり、記録用ペーパー６に給紙ローラー１の圧接痕が生じ、これにより記録用ペーパー６表面の品質が劣化する。これは、印画後の画像品位を劣化させることになる。
【０００６】
この改善策の一つとして、紙上げスプリングの力で記録用ペーパー６が積載されたリフト板３を揺動させ、記録用ペーパー６最上部上面の高さを一定にするためのストッパを配設し、前記記録用ペーパー６最上部上面に対して前記給紙ローラー１を下降かつ加圧可能にし、また前記給紙ローラー１の加圧力をトルクリミッターで与えることで一定にし、かつ紙上げスプリングの前記ストッパに対する押上げ力よりも大きく設定することで、前記記録用ペーパー６の積載枚数が変化しても、給紙ローラー１が記録用ペーパー６の最上部上面を加圧する力に影響を与えないようにする給紙装置がある（例えば、特許文献１参照。）。
また、ピックレバーによる上向きの押し圧力を、操作レバーにより加圧、非加圧状態に切り替え可能にしたものがある（例えば、特許文献２参照）。
また、ピックレバーに上向きの押圧力を付与するように連結されたばね部材の伸び量を調整することで、必要な押圧力を得るようにしたものがある（例えば、特許文献３参照）。
リフト板の回動によって、ペーパーの上面が適正位置になるように上昇させられ、その位置を維持するよう制御されるものがある（例えば、特許文献４参照）。
【０００７】
【特許文献１】特開平５−７７９４６号公報（３頁、図１）
【特許文献２】特開平８−１５７０７９号公報（３−５頁、図１−５）
【特許文献３】特開平８−３３３０２５号公報（３−４頁、図２−５）
【特許文献４】特開２００３−２０１０４５号公報（６頁、図７−８）
【発明の開示】
【発明が解決しようとする課題】
【０００８】
前記の従来装置では、前記記録用ペーパー６の積載枚数の多少によって、前記給紙ローラー１に加わる給紙圧に差が生じる。また前記記録用ペーパー６のサイズによる自重Ｗの変化に対しても、前記紙上げスプリングが前記リフト板３を押上げる力Ｔが一定であるために対応できず、給紙圧に差が生じる。給紙圧の変化は、前記記録用ペーパー６の分離、搬送を不安定にすることになる。また、例えば特許文献１の場合、給紙圧を一定にするために給紙装置が複雑化しコストが高くなる。
【０００９】
また、前記特許文献１〜４のいずれにおいても、給紙装置本体にペーパーカセット２を装着した状態で、給紙ローラー１と記録用ペーパー６の自動的な接離を行なうことはできない。
【００１０】
この発明は、記録用ペーパーの積層保持状態にかかわらず、給紙圧の変動を小さくして安定した給紙を行い、また、給紙ローラーを記録用ペーパーに対向させた状態においても、給紙ローラーと記録用ペーパーの接離を可能とすることで、記録用ペーパーの表面を劣化させることのない給紙装置を容易かつ安価に提供することを目的とするものである。
【課題を解決するための手段】
【００１１】
この発明に係る給紙装置では、記録用ペーパーを傾斜させた状態で積層保持可能なリフト板、積層保持された最上部の前記記録用ペーパーの表面に接離可能な給紙ローラー、前記リフト板の下部に配設され前記リフト板に一端を当接して他端を中心に回動することで積層保持された最上部の前記記録用ペーパーの表面を前記給紙ローラーに対して接離可能とするピックレバー、前記ピックレバーの他端を回動自在に支承するピックレバー回転支軸、前記ピックレバーを前記リフト板から離間させる方向に付勢力を常時発生するばねを備え、給紙時に前記給紙ローラーをトルクリミッターを介して回転駆動するととともに前記ピックレバーをリフト板への当接方向へ駆動し、かつ、非給紙時に前記ばねの付勢力で前記ピックレバーを前記リフト板から離間するようにしたものである。
【発明の効果】
【００１２】
この発明によれば、記録用ペーパーの積層保持状態にかかわらず、給紙圧の変動を小さくして安定した給紙を行い、また、給紙ローラーを記録用ペーパーに対向させた状態においても、給紙ローラーと記録用ペーパーの接離を可能とすることで、記録用ペーパーの表面を劣化させることのない給紙装置を容易かつ安価に提供することができる。
【発明を実施するための最良の形態】
【００１３】
実施の形態１．
この発明による実施の形態を図１から図４までについて説明する。図１は、この発明による一実施形態における給紙装置の構成についての力学モデルを示す側面図である。図２は、この発明による一実施形態におけるペーパーカセットの構成を示す斜視図である。図３は、この発明による一実施形態における給紙装置の要部構成を示す斜視図である。図４は、この発明による一実施形態における給紙動作のフローチャートである。
【００１４】
図１において、画像を記録する記録用ペーパー６を積層保持するペーパーカセット２、前記ペーパーカセット２の底部に配設され、前記ペーパーカセットを搭載し、前記記録用ペーパー６を前記ペーパーカセット２の底部に対して傾斜させた状態で保持可能なリフト板３、前記リフト板３を前記ペーパーカセット２の底部に対して傾斜する方向に回動自在に支持するリフト板回転支軸４、積層保持された前記記録用ペーパー６の最上部の表面に接離可能な給紙ローラー１が設けられている。
また、前記リフト板３の下部に配設され、前記リフト板３に一端を当接して他端を中心に回動することで積層保持された最上部の前記記録用ペーパー６の表面を前記給紙ローラー１に対して接離可能とするピックレバー７、前記リフト板３の下に回動自在に支持され、前記ピックレバー７の他端が軸止されたピックレバー回転支軸８、前記ピックレバー７を前記リフト板３から離間させる方向に力を常時発生するばね９が設けられている。
さらに、前記給紙ローラー１と前記ピックレバー７を駆動する駆動源１０、前記駆動源１０の回転力を前記給紙ローラー１へ伝達する第一の伝達ギア列１１、前記給紙ローラー１の同軸上に軸止された給紙ローラー駆動ギア１３、前記第一の伝達ギア列１１の最終段ギアに常時かみ合うよう回転自在に支持され、前記最終段ギアの回転方向に揺動することで、前記ローラー駆動ギア１３に対して接離可能な揺動アイドルギア列１２、前記給紙ローラー１の同軸上に軸止されたトルクリミッター１４、前記給紙ローラー１の同軸上に回転自在に支持され、前記トルクリミッター１４に係合する従動ギア１６、前記従動ギア１６の回転力を前記ピックレバー回転支軸８へ伝達する第二の伝達ギア列１５、前記ピックレバー回転支軸８に軸止され、前記第二の伝達ギア列１５を介して前記従動ギア１６の回転力を前記ピックレバー回転支軸８へ伝達するレバー駆動ギア１７が設けられている。
駆動源１０は、給紙時に、ピックレバー７をその一端がリフト板３に当接し記録用ペーパー６が給紙ローラー１に圧接する方向にピックレバー回転支軸８を介してトルクＴの付勢力で駆動する。
【００１５】
図２から図４までにおいて、駆動源１０が正転時に、給紙ローラー１が記録用ペーパー６の上面と当接することで生じる給紙圧Ｐは、リフト板回転支軸４回りの記録用ペーパー６の自重Ｗによるも回転モーメントと、ピックレバー７がリフト板３を押上げる力Ｎによる回転モーメントの釣り合いにより決定される。
【００１６】
リフト板回転支軸４と給紙ローラー１の中心との距離Ｌ１と、リフト板回転支軸４と記録用ペーパー６の重心との距離Ｌ２と、リフト板回転支軸４とピックレバー７の先端までの距離Ｌ３により、給紙圧ＰはＰ＝（ＮＬ３−ＷＬ２）／Ｌ１で決まる。記録用ペーパー６を給紙することで、積載枚数およびピックレバー７がリフト板３と当接する角度が変化するので、前記式の右辺の変数Ｗ、Ｌ２、Ｎ、Ｌ３、Ｌ１が変化する。これにより、例えば記録用ペーパー６の給紙１枚目とｎ枚目の給紙圧Ｐが変動することになる。給紙圧Ｐの変動幅が大きいと記録用ペーパー６の給紙ミスや重送等の不具合が生じる。
【００１７】
記録用ペーパー６の給紙１枚目の給紙圧Ｐ１とｎ枚目の給紙圧Ｐｎは前述の式より求まり、給紙圧変動幅δＰは、Ｐ１とＰｎの差で求まる。δＰが最小となるように、ばね９の剛性を決定することで給紙圧Ｐを安定させることが出来る。
【００１８】
具体的には、給紙が進むに従って、ペーパーカセット２の底部に対するピックレバー７の傾斜角φが増大し、ピックレバー回転支軸８とピックレバー７がリフト板３の底面と当接する距離Ｌ４が減少する、Ｎ＝Ｔ／Ｌ４の関係より、ピックレバー７がリフト板３を押し上げる力Ｎは増大し、リフト板回転支軸４回りのピックレバー７がリフト板３を押上げることで生じる回転モーメントＮＬ３が増大する。
【００１９】
給紙が進むに従ってリフト板３に積載されている記録用ペーパー６の重量Ｗおよびリフト板回転支軸４と記録用ペーパー６の重心との距離Ｌ２が減少し、リフト板回転支軸４回りの記録用ペーパー６の回転モーメントＷＬ２は減少する。
【００２０】
その結果、給紙圧Ｐの変動幅δＰは給紙が進むに従って増大することとなる。一方、ピックレバー７のペーパーカセット２の底部に対する傾斜角φの増大に伴い、ばね９がピックレバー７をリフト板３から離間させる方向に加わる付勢力のトルクｔは増大する。
これにより、前記回転モーメントＮＬ３は給紙が進むに従って減少することになる。したがって、給紙が進むに従って前記回転モーメントＮＬ２が減少するとともに、前記回転モーメントＮＬ３も減少することにより、給紙が進み記録用ペーパー６の積層保持状態が変わっても記録用ペーパー６の積層保持状態の変動による給紙圧Ｐの変動幅δＰは減少することになる。
【００２１】
ピックレバー７がリフト板３を当接して押し上げる力Ｎの減少幅は、ピックレバー７とペーパーカセット２の底部に対する傾斜角φとばね９のねじり剛性による復元力によって決定される。
【００２２】
そして、給紙圧Ｐの変動幅δＰが最小となるようにばね９のねじり剛性による復元力を設定すれば、記録用ペーパー６の積載枚数またはサイズの変化などの積層保持状態の変動に対して、給紙圧Ｐの変動幅δＰを最小限に小さくすることができる。
【００２３】
給紙動作について図４のフローチャートに基づいて記す。
【００２４】
駆動源１０が正転すると（ステップＳ１）、第１の伝達ギア列１１を介して揺動アイドルギア列１２と給紙ローラー駆動１３が噛合い（ステップＳ２）、給紙ローラー１が記録用ペーパー６を画像形成部へ搬送する方向に回転する（ステップＳ３）。給紙ローラー１の回転に伴い給紙ローラー１と同軸上に軸止された従動ギア１６が回転し、第２の伝達ギア列１５を介してピックレバー７を、記録用ペーパー６が給紙ローラー１に圧接させる方向に回動させる（ステップＳ４）。
【００２５】
これと同時に、ピックレバー７同軸上に軸止されたばね９がピックレバー７を給紙ローラー１から離間させる方向に復元力が生じる（ステップＳ５）。ただし、復元力は給紙ローラー回転時はピックレバー７を回動させる制動力に比較して小さくすることで、記録用ペーパー６を給紙ローラー１に適切な力で圧接させることができる。
【００２６】
ピックレバー７が回動し、給紙ローラー１に記録用ペーパー６が圧接する（ステップＳ６）。
【００２７】
給紙ローラー１の回転により記録用ペーパー６が装置本体画像形成部へと搬送される（ステップステップＳ７）。
【００２８】
駆動源１０が逆転する（ステップＳ８）。これにより揺動アイドルギア列１２が給紙ローラー駆動ギア１３から離間する（ステップＳ９）。
【００２９】
給紙ローラー駆動ギア１３は、駆動源１０からの回転力を伝達されなくなるので、給紙ローラー駆動ギア１３が軸止されている給紙ローラー１には回転力も制動力も作用しないフリーな状態となる（ステップＳ１０）、これにより、給紙ローラー１および従動ギア１６およびレバー駆動ギア１７および第２の伝達ギア列１５を介して、駆動源１０の回転力を伝達されていたピックレバー回転支軸４は回転力も制動力も伝達されないフリーな状態となり（ステップＳ１１）、ばね９の復元力によってピックレバー回転支軸４に軸止されているピックレバー７がリフト板３から離間する（ステップＳ１２）
【００３０】
これにより、給紙ローラー１から記録用ペーパー６が離間する（ステップＳ１３）。
【００３１】
この発明による実施の形態では、紙上げスプリングのみで記録用ペーパー６を給紙ローラー１に当接させ、給紙圧を加圧していた従来技術に比較して、駆動源１０の正転時（図３参照）に、ピックレバー７（図１参照）が一端を回動してリフト板３に当接し、積層保持された最上部の前記記録用ペーパー６の表面が前記給紙ローラー１に圧接された時点でトルクリミッターが空転するので、リフト板回転支軸４回りの、ピックレバー７がリフト板３を押上げる回転モーメントは従来の紙上げスプリングに比較して安定する。
【００３２】
また、記録用ペーパー６の積載枚数の変化によるリフト板３のリフト板回転支軸４回りの、記録用ペーパー６の自重Ｗの回転モーメントの変動に釣り合うように、ピックレバー７をリフト板３から離間させる方向に復元力を設定したばね９（図１参照）をピックレバー回転支軸４に軸止することで、記録用ペーパー６の積載枚数またはサイズの違いにかかわらずピックレバー７がリフト板３を押し上げる力を安定させ、給紙圧の変動を小さくすることができる。
これにより、安定した給紙が可能となる。
【００３３】
さらに、駆動源１０の逆転時には、揺動アイドルギア列１２（図３参照）が給紙ローラー駆動ギア１３（図３参照）から離間し、給紙ローラー１には回転力も制動力も作用しないフリーな状態となるので、従動ギア１６（図３参照）およびレバー駆動ギア１７および第２の伝達ギア列１５（図３参照）を介して、駆動源１０の回転力を伝達されていた、ピックレバー回転支軸４は、ばね９の復元力でピックレバー７がリフト板３から離間する。
このため、ペーパーカセット１を給紙装置本体に装着した状態で、非給紙時は給紙ローラー１と記録用ペーパー６が離間し、給紙ローラー１に常に圧接されることで生じる記録用ペーパー６の品質の劣化を防ぐことができる。
【００３４】
（１Ａ）この発明による実施の形態によれば、記録用ペーパー６を傾斜させた状態で積層保持可能なリフト板３、積層保持された最上部の前記記録用ペーパー６の表面に接離可能な給紙ローラー１、前記リフト板３の下部に配設され前記リフト板３に一端を当接して他端を中心に回動すことで積層保持された最上部の前記記録用ペーパー６の表面を前記給紙ローラー１に対して接離可能とするピックレバー７、前記ピックレバー７の他端を回動自在に支承するピックレバー回転支軸８、前記ピックレバー７を前記リフト板３から離間させる方向に付勢力を常時発生するばね９を備え、給紙時に駆動源１０の一方向への回転により前記給紙ローラー１をトルクリミッター１４を介して回転駆動するととともに前記ピックレバー７をリフト板３への当接方向に一方向へ駆動し、かつ、非給紙時に駆動源１０の他方向への回転により前記ピックレバー７の駆動を行うことなく前記ピックレバー７を駆動状態から解放して前記ばね９の付勢力で前記ピックレバー７を前記リフト板３から離間するようにしたので、記録用ペーパー６の積層保持状態の変化にかかわらず、給紙圧の変動を小さくして安定した給紙を行い、また、給紙ローラー１を記録用ペーパー６に対向させた状態においても、給紙ローラー１と記録用ペーパー６の接離を可能とすることで、記録用ペーパー６の表面を劣化させることのない給紙装置を容易かつ安価に提供することができる。
【００３５】
（１Ｂ）この発明による実施の形態によれば、前記（１Ａ）項における構成において、前記ばね９の復元力が、前記給紙ローラー１の前記記録用ペーパー１最上部上面に対する圧接力の変動幅を給紙時の前記記録用ペーパー６の積層保持状態の変化にかかわらず小さくするように前記ばねの復元力を設定するようにしたので、記録用ペーパー６の積層保持状態の変化にかかわらず、給紙圧の変動を最小限にして安定した給紙を行い、また、給紙ローラー１を記録用ペーパー６に対向させた状態においても、給紙ローラー１と記録用ペーパー６の接離を可能とすることで、記録用ペーパー６の表面を劣化させることのない給紙装置を容易かつ安価に提供することができる。
【００３６】
（１Ｃ）この発明による実施の形態によれば、前記（１Ａ）項または前記（１Ｂ）項における構成において、前記記録用ペーパー６を積層保持する前記リフト板３を底部に配設したペーパーカセット２を備え、前記ペーパーカセット２が給紙装置本体へ装着され前記リフト板３に積層保持された前記記録用ペーパー６を前記給紙ローラー１に対向させた状態で、前記ピックレバー７を昇降させ、前記リフト板３に積層保持された前記記録用ペーパー６を接離可能とするようにしたので、記録用ペーパー６の積層保持状態の変化にかかわらず、給紙圧の変動を最小限にして安定した給紙を行い、また、ペーパーカセット２を給紙装置本体に装着し給紙ローラー１を記録用ペーパー６に対向させた状態においても、給紙ローラー１と記録用ペーパー６の接離を可能とすることで、記録用ペーパー６の表面を劣化させることのない給紙装置を容易かつ安価に提供することができる。
【００３７】
（１Ｄ）この発明による実施の形態によれば、前記（１Ａ）項から前記（１Ｃ）項までのいずれかにおける構成において、前記給紙ローラー１を回転させるの駆動と前記ピックレバー７の一端を回動させる駆動とを共通の駆動源１０により実行するようにしたので、共通の駆動源１０により前記給紙ローラー１の駆動と前記ピックレバー７の駆動とを行う簡潔な構成で、記録用ペーパー６の積層保持状態の変化にかかわらず、給紙圧の変動を最小限にして安定した給紙を行い、また、ペーパーカセット２を給紙装置本体に装着し給紙ローラー１を記録用ペーパー６に対向させた状態においても、給紙ローラー１と記録用ペーパー６の接離を可能とすることで、記録用ペーパー６の表面を劣化させることのない給紙装置を容易かつ安価に提供することができる。
【００３８】
（１Ｅ）この発明による実施の形態によれば、記録用ペーパー６を積層保持するペーパーカセット２、前記ペーパーカセット２の底部に配設され、前記記録用ペーパー６を搭載し、前記記録用ペーパー６を前記ペーパーカセット２の底部に対して傾斜させた状態で積層保持可能なリフト板３、積層保持された最上部の前記記録用ペーパー６の表面に接離可能な給紙ローラー１、前記リフト板３の下部に配設され、前記リフト板３に当接して揺動させることで積層保持された最上部の前記記録用ペーパー６の表面を前記給紙ローラー１に対して接離可能とするピックレバー７、前記リフト板３の下に回動自在に支持され、前記ピックレバー７が軸止されたピックレバー回転支軸８、前記ピックレバー７を前記リフト板３から離間させる方向に付勢力を常時発生するばね９、前記給紙ローラー１と前記ピックレバー７を駆動する駆動源１０、前記駆動源１０の回転力を前記給紙ローラー１へ伝達する第一の伝達ギア列１１、前記給紙ローラー１の同軸上に軸止された給紙ローラー駆動ギア１３、前記第一の伝達ギア列１１の最終段ギアに常時かみ合うよう回転自在に支持され、前記最終段ギアの回転方向に揺動することで、前記ローラー駆動ギア１３に対して接離可能な揺動アイドルギア列１２、前記給紙ローラー１の同軸上に軸止されたトルクリミッター１４、前記給紙ローラー１の同軸上に回転自在に支持され、前記トルクリミッター１４に係合する従動ギア１６、前記従動ギア１６の回転力を前記ピックレバー回転支軸８へ伝達する第二の伝達ギア列１５、前記ピックレバー回転支軸８に軸止され、前記第二の伝達ギア列１５を介して前記従動ギア１６の回転力を前記ピックレバー回転支軸８へ伝達するレバー駆動ギア１７を有する給紙装置において、前記駆動源１０の正転時には、前記揺動アイドルギア列１２が前記ローラー駆動ギア１３に噛み合い、前記給紙ローラー１が回転し、前記ピックレバー７が回動して前記リフト板３に当接し、積層保持された最上部の前記記録用ペーパー６の表面が前記給紙ローラー１に圧接された時点で前記トルクリミッター１４が空転し、積層保持された前記記録用ペーパー６最上部上面に圧接される給紙ローラー１の圧接力が安定し、かつ、前記駆動源１０の逆転時には、前記揺動アイドルギア列１２が前記給紙ローラー駆動ギア１３から離間し、前記給紙ローラー１には回転力も制動力も作用しないフリーな状態となり、前記ピックレバー７は駆動状態から解放されて、前記ばね９の復元力で前記ピックレバー７が前記リフト板３から離間するようにしたので、前記駆動源の正転によりギアを介して前記給紙ローラー１の駆動と前記ピックレバー７の回動を行い、かつ、駆動源の逆転により前記給紙ローラー１を非作用状態とするとともに前記ばねの復元力によって前記ピックレバー７を前記リフト板３から離間するようにして、記録用ペーパー６の積層保持状態の変化にかかわらず、給紙圧の変動を最小限にして安定した給紙を行い、また、給紙ローラー１を記録用ペーパー６に対向させた状態においても、給紙ローラー１と記録用ペーパー６の接離を可能とすることで、記録用ペーパー６の表面を劣化させることのない給紙装置を容易かつ安価に提供することができる。
【図面の簡単な説明】
【００３９】
【図１】この発明による一実施形態における給紙装置の構成についての力学モデルを示す側面図である。
【図２】この発明による一実施形態におけるペーパーカセットの構成を示す斜視図である。
【図３】この発明による一実施形態における給紙装置の要部構成を示す斜視図である。
【図４】この発明による一実施形態における給紙動作のフローチャートである。
【符号の説明】
【００４０】
１  給紙ローラー、２  ペーパーカセット、３  リフト板、４  リフト板回転支軸、５  紙上げスプリング、６  記録用ペーパー、７  ピックレバー、８  ピックレバー回転支軸、９  ばね、１０  駆動源、１１  第１の伝達ギア列、１２  揺動アイドルギア列、１３  給紙ローラー駆動ギア、１４  トルクリミッター、１５  第２の伝達ギア列、１６  従動ギア、１７  レバー駆動ギア。
【図１】
2007320716.tif 000003
【図２】
2007320716.tif 000004
【図３】
2007320716.tif 000005
【図４】
2007320716.tif 000006